(57)【特許請求の範囲】
【請求項１】
ハウジングの内部で回動するスクリーンで流体中の塵芥を捕集して第１洗浄手段から前記スクリーンに向けて洗浄水を噴射して前記塵芥を除去する除塵装置において、
前記ハウジングに向けて淡水を噴射する第２洗浄手段を備えたことを特徴とする除塵装置。
【請求項２】
前記第２洗浄手段は、前記ハウジングの内壁に向けて前記淡水を吹き付ける噴射ノズルを備えたことを特徴とする請求項１に記載の除塵装置。
【請求項３】
前記第２洗浄手段は、前記除塵装置の運転中又は停止中に前記スクリーンと前記ハウジングの間に前記淡水を噴霧してミスト雰囲気を発生可能なスプレーノズルを備えたことを特徴とする請求項１又は２に記載の除塵装置。
【発明の詳細な説明】
【技術分野】
【０００１】
本発明は、流体中から固体分を分離する除塵装置に関する。
【背景技術】
【０００２】
工業用水の用水路又は発電所などの冷却水を取水するための水路には、除塵装置が広く利用されている。
一般的な除塵装置は、水路を横切るようにリンクチェーンを設けて、このリンクチェーンのリンク毎にバースクリーン又は金網などのスクリーンを水流に対して垂直又は所定角度に傾斜させて立設させた構成を採用しているものが多い。そしてスクリーンをリンクチェーンで水路に対して上下方向に周回移動させることにより、スクリーンで捕捉した塵芥を水中から水路の上方へ引き上げて除去している。
除塵装置の上流側でスクリーンに捕捉された塵芥を水中から引き上げた後は、スクリーンから自由落下や、洗浄水の水圧により塵芥を除去している。そして塵芥を取り除いたスクリーンは、再度上流側の液中に回動させて塵芥を捕捉する。このような動作を連続して行い液中の塵芥を回収している（例えば特許文献１，２に開示）。
【０００３】
スクリーンの洗浄水は、除塵装置でろ過された後の水路に設置された洗浄ポンプの水を用いている。洗浄ポンプの水圧によればスクリーンに捕捉された塵芥を確実かつ速やかに剥離し洗浄できる。通常、この洗浄ポンプは装置の運転時に自動運転するように制御されている。
このような除塵装置は、待機中にスクリーンへの塵芥の付着量が増加して、装置上流側と下流側の水位差があらかじめ設定された値を超えたとき、自動的に起動して運転するように制御されている。この他、除塵装置の機能を維持する目的で、定期的に自動起動運転を行っている。除塵装置の機能を維持する目的の運転は、例えばあらかじめ設定した時刻に所定時間自動運転させている。この自動運転は、除塵機本来の機能である除塵ではなく、海水による機器の腐食や固着を防止する作動機能維持のためのインターバル運転としての役割である。インターバル運転時もスクリーンで塵芥を流体中から引き上げているので、除塵装置運転時は、塵芥量、除塵負荷に関係なく洗浄ポンプを駆動させなければならない。
【先行技術文献】
【特許文献】
【０００４】
【特許文献１】特許第４２３５１００号公報
【特許文献２】実公平４−５２２６６号公報
【発明の概要】
【発明が解決しようとする課題】
【０００５】
通常の除塵装置は、スクリーンから塵芥を除去洗浄する目的で、洗浄水を加圧してスプレーしている。このとき、噴出した洗浄水がスクリーンに衝突し、塩分や有機物がはじかれて周囲に飛散する。その一部がハウジングの内壁にも付着する。そして太陽熱によって外気温度が上昇すると、ハウジングの内面も温度が昇温されて、付着した塩分や有機物の水分が少なくなる。この塩分又は有機物の付着と乾燥が繰り返し行われて徐々に塩分や有機物の濃度が高くなり、腐食し易くなる。
塩分又は有機物を含み、高温多湿の環境下にあるハウジング内部は腐食が進行し易い環境にあり、特にハウジングの狭あい部分からの腐食が早期に進行する。
【０００６】
上記従来技術の問題点に鑑み、本発明は塩分又は有機物に起因する装置の腐食を効果的に防止できる除塵装置を提供することを目的としている。
【課題を解決するための手段】
【０００７】
上記課題を解決するための第１の手段として、本発明は、ハウジングの内部で回動するスクリーンで流体中の塵芥を捕集して第１洗浄手段から前記スクリーンに向けて洗浄水を噴射して前記塵芥を除去する除塵装置において、前記ハウジングに向けて淡水を噴射する第２洗浄手段を備えたことを特徴とする除塵装置を提供することにある。
上記構成による第１の手段によれば、淡水でハウジング又はスクリーンに付着した塩分又は有機物を洗浄しているので、ハウジングなどの金属部分の腐食を防止して、装置全体の経年劣化を効果的に低減できる。
【０００８】
上記課題を解決するための第２の手段として、本発明は、前記第１の手段において、前記第２洗浄手段は、前記ハウジングの内壁に向けて前記淡水を吹き付ける噴射ノズルを備えたことを特徴とする除塵装置を提供することにある。
上記構成による第２の手段によれば、ハウジングの内壁に付着した塩分又は有機物を洗浄しているので、ハウジングの腐食を防止して、装置全体の経年劣化を効果的に低減することができる。また、ハウジング内壁の温度上昇を下げて腐食の進行を抑えることができる。
【０００９】
上記課題を解決するための第３の手段として、本発明は、前記第１又は第２の手段において、前記第２洗浄手段は、前記除塵装置の運転中又は停止中に前記スクリーンと前記ハウジングの間に前記淡水を噴霧してミスト雰囲気を発生可能なスプレーノズルを備えたことを特徴とする除塵装置を提供することにある。
上記構成による第３の手段によれば、第１洗浄手段で塵芥を除去している作業中に飛散する塩分又は有機物をミスト雰囲気によって防御しているので、ハウジング内壁に塩分又は有機物が付着することを効果的に防止できる。
またハウジングの狭あい部であっても淡水のミスト雰囲気を形成できるため、第１洗浄手段の洗浄水が飛散して塩分又は有機物が付着することを防止できる。
【発明の効果】
【００１０】
本発明によれば、腐食の原因となる洗浄水に含まれる塩分又は有機物が装置のハウジングなどの金属部分に付着して進行することがなく、装置の経年劣化を効果的に低減できる。
【図面の簡単な説明】
【００１１】
【図１】本発明の除塵装置の正面拡大図である。
【図２】図１のＡ−Ａ矢視図である。
【図３】第２洗浄手段の断面図である。
【発明を実施するための形態】
【００１２】
本発明の除塵装置の実施形態について添付の図面を参照しながら、以下詳細に説明する。
【００１３】
［除塵装置１０］
図１は本発明の除塵装置の正面拡大図である。図２は図１のＡ−Ａ矢視図である。図示のように本発明の除塵装置１０は、取水路１２の上方を塞いだ床面に設けたハウジング４５内に周回手段を構成する軸１４を介して回転自在に設けた上部スプロケットホイール１６と、取水路１２の水底部に設置したガイドレール（不図示）を有している。上部スプロケットホイール１６には、無端状のリンクチェーン２２を架設してある（図１はリンクチェーン２２を不図示）。リンクチェーン２２と、上部スプロケットホイール１６と、ガイドレールは、周回移動機構を構成している。そしてリンクチェーン２２には、水中の塵芥を捕捉する網状の網体又はスクリーンバーなどからなるスクリーン２４がリンクチェーン２２の周回方向に連続的に取付けられている。また、リンクチェーン２２は、取水路の両側に配設してあり、それぞれが複数のリンクを無端状に連結して構成している。ガイドレールは周回移動するリンクチェーン２２を水中で支持するレールである。
【００１４】
上部スプロケットホイール１６を取り付けた軸１４には、鎖車２８が設けてある。鎖車２８は上部スプロケットホイール１６を介してリンクチェーン２２、すなわちスクリーン２４を周回移動するもので、駆動モータ３０に取り付けた鎖車３２との間に電動チェーン３４が巻き掛けしてある。従って、駆動モータ３０を駆動することにより、駆動モータ３０の回転駆動力が鎖車３２、電動チェーン３４を介して鎖車２８に伝達され、鎖車２８が回転することにより、上部スプロケットホイール１６、リンクチェーン２２、を介してスクリーン２４を図２中の矢印Ａのように上部スプロケットホイール１６、ガイドレール間を周回移動させている。そして、水流によって運ばれてきた塵芥は、スクリーン２４によって捕捉されて取水路１２の上方に引き上げられる。
【００１５】
上部スプロケットホイール１６の下方であって、周回するスクリーン２４の内側の領域には、第１洗浄手段４０が取り付けられている。第１洗浄手段４０は、スクリーン２４の塵芥を捕捉する主面の裏側から洗浄水を噴射可能な噴射ノズルを備えて、外部の洗浄ポンプ（不図示）と接続している。洗浄ポンプは、除塵装置１０でろ過された後の水路に設置されており、洗浄水を所定圧に加圧して第１洗浄手段４０に供給している。スクリーン２４に捕捉された塵芥は第１洗浄手段４０から噴射された所定圧の洗浄水によって外部に排出される。
【００１６】
上部スプロケットホイール１６の上方であって、周回移動するスクリーン２４とハウジング４５の間の領域には、第２洗浄手段５０が取り付けられている。図３は第２洗浄手段の断面図である。図示のように第２洗浄手段５０は、ハウジングの内壁又はスクリーンに向けて淡水を噴射可能な噴射ノズルを備えて、外部の給水ポンプ（不図示）と接続している。本実施形態の淡水は、塩分又は有機物を含まない水であれば良く、例えば水道水、地下水、河川水、工業用水、再生水、蒸留水などを用いることができる。また第２洗浄手段５０は、ミスト（霧）を噴霧可能なスプレーノズルを備えている。
【００１７】
［作用］
上記構成による本発明の除塵装置の作用について、以下説明する。
除塵装置１０の運転中は、スクリーン２４をリンクチェーン２２で水路に対して上下方向に周回移動させることにより、スクリーン２４で捕捉した塵芥を水中から水路の上方へ引き上げて除去している。そして除塵装置１０の上流側でスクリーン２４に捕捉された塵芥を水中から引き上げた後は、スクリーン２４から自由落下や、第１洗浄手段４０からの所定圧の洗浄水により塵芥を除去している。塵芥を取り除いたスクリーン２４は、再度上流側の液中に回動して塵芥を捕捉する。このような動作を連続して行い液中の塵芥を回収している。そして第２洗浄手段５０からハウジング４５又はスクリーン２４に向けて、噴射ノズルから淡水を噴射し、又はスプレーノズルから淡水を霧状にしたミストを噴霧している。
【００１８】
淡水を噴射することにより、ハウジング又はスクリーンに付着した塩分又は有機物を洗浄することができる。これにより、腐食の原因となる塩分又は有機物が付着することがない。
また装置の運転中に淡水のミストをハウジングとスクリーンの間の領域に発生させてミスト雰囲気を形成して、第１洗浄手段から噴射された洗浄液がスクリーンに当たって飛び散ってもミスト雰囲気で飛散をブロックしてハウジングの内壁などに塩分又は有機物が付着することがない。またハウジングの狭あい部であっても淡水のミスト雰囲気を形成できるため、第１洗浄手段の洗浄水が飛散して塩分又は有機物が付着することを防止できる。
また第２洗浄手段５０による淡水の噴射又は噴霧は、装置運転後（停止中）に行うことにより、太陽熱により温度上昇するハウジングの内部温度を下げるとともに、付着した塩分又は有機物が成長することなく腐食を効果的に防止できる。腐食反応は温度上昇に比例し活性化するので、ハウジング内部の温度を下げることは効果が大きい。
【００１９】
以上説明したように、本発明によれば、通常のスクリーンに洗浄水を噴射する第１洗浄手段とは別に、淡水を噴射又は噴霧する第２洗浄手段を設けているので、ハウジング又はスクリーンに洗浄水に含まれる塩分又は有機物が付着することがなく、ハウジングなどの金属部品の腐食を効果的に防止できる。
【産業上の利用可能性】
【００２０】
本発明は、流体中の固体分を除去する除塵装置を備えた工業用水の用水路又は発電所などの冷却水を取水するための水路を利用する産業分野において、特に産業上利用することができる。
【符号の説明】
【００２１】
１０………除塵装置、１２………取水路、１４………軸、１６………上部スプロケットホイール、２２………リンクチェーン、２４………スクリーン、２８………鎖車、３０………駆動モータ、３２………鎖車、３４………電動チェーン、４０………第１洗浄手段、４５………ハウジング、５０………第２洗浄手段。
【図１】
0006628035.tif 000002
【図２】
0006628035.tif 000003
【図３】
0006628035.tif 000004